(57)【要約】【課題】風車が有する複数の羽根の内の一部に遊技球が集中的に衝突することを防止する。【解決手段】遊技領域に立設される回転軸から等角度に放射する複数の放射状壁を有する回転子と、鉛直線と停止状態の前記放射状壁の放射方向との為す角度を所定角度に規制する停止角度規制機構と、を有する回転装置を備え、前記停止角度規制機構は、移動体と、前記回転子と同期して回転し、前記移動体を収納する収納空部を有する同期回転体と、を備え、前記収納空部は、前記放射状壁と同数で前記回転軸からの距離が等しい複数の貯留部を有し、所定の貯留部の中心と前記回転軸とを結ぶ第１の線分と、隣の貯留部の中心と前記回転軸とを結ぶ第２の線分と、の為す角度が隣り合う前記放射状壁が為す角度と等しく設定されるとともに、前記複数の貯留部の間を前記移動体が移動可能な移動流路を有する。【選択図】図１０
2010125289.tif 000002
【特許請求の範囲】
【請求項１】
遊技球が流下する遊技領域に立設される回転軸から等角度に放射する複数の放射状壁を有する回転子と、鉛直線と停止状態の前記放射状壁の放射方向との為す角度を所定角度に規制する停止角度規制機構と、を有する回転装置を備えた遊技機であって、
前記停止角度規制機構は、
移動体と、
前記回転子と同期して回転し、前記移動体を収納する収納空部を有する同期回転体と、
を備え、
前記収納空部は、
前記放射状壁と同数で前記回転軸からの距離が等しい複数の貯留部を有し、所定の貯留部の中心と前記回転軸とを結ぶ第１の線分と、隣の貯留部の中心と前記回転軸とを結ぶ第２の線分と、の為す角度が隣り合う前記放射状壁が為す角度と等しく設定されるとともに、
前記複数の貯留部の間を前記移動体が移動可能な移動流路を有し、
前記遊技球の衝突により前記回転子が回転して前記移動体が前記複数の貯留部の間を移動することによって、前記複数の放射状壁のいずれかがランダムに鉛直線と前記所定角度を為すことを特徴とする遊技機。
【請求項２】
前記回転装置は、前記第１の線分と所定の前記放射状壁の放射方向との為す相対角度を変更する相対角度変更機構を有することを特徴とする請求項１に記載の遊技機。
【請求項３】
前記相対角度変更機構は、前記同期回転体に設けた被係止部と対向する部分に複数の係止部を設けた係止部材を備え、
前記係止部材は、
前記回転子と同期して回転して前記回転軸方向の移動を抑制可能に回転軸に軸着された軸着部と、
該軸着部の外周に形成された脆弱部と、
を有し、該脆弱部の外周に前記複数の係止部が形成され、
前記同期回転体は、前記回転子に対して回転自在に構成されて前記回転軸方向の移動を抑制可能に回転軸に軸着され、
前記回転子に対して前記同期回転体を回転させると前記脆弱部が撓んで所定の前記係止部に係合している前記被係止部を他の係止部に係合することを特徴とする請求項２に記載の遊技機。
【発明の詳細な説明】
【技術分野】
【０００１】
本発明は、遊技球が流下する遊技領域に立設される回転軸から等角度に放射する複数の放射状壁を有する回転子と、鉛直線と停止状態の前記放射状壁の放射方向との為す角度を所定角度に規制する停止角度規制機構と、を有する回転装置を備えた遊技機に関する。
【背景技術】
【０００２】
従来、発射装置から発射されて、遊技領域を流下する遊技球が衝突して流下方向を変化させる回転子（いわゆる風車）が遊技領域に設けられる遊技機が知られている（例えば、特許文献１）。
【０００３】
特許文献１に記載の遊技機は、円板状部の裏面の中心に垂設される釘保持部から放射状に形成される１つ以上の羽根と、円板状部の裏面における釘保持部の軸上以外に設けられた錘部と、を有する風車によって、重心が釘保持部の下となるように風車が停止するので、円板状部の表面の装飾が一定の状態で停止して周囲のデザインと融合できる。
【０００４】
また、羽根が鉛直方向に対して一定の角度を保つことができ、停止状態の羽根に衝突する遊技球の流下方向が安定しやすく、入賞口への入賞むら（所謂入賞スランプ）を極力少なくできる効果もある。
【特許文献１】特開平１０−８５３９６号公報
【発明の開示】
【発明が解決しようとする課題】
【０００５】
ところで、上記従来の遊技機は、錘部が風車に対して固定されており、この錘部が釘保持部の下となるように風車が停止するため、釘保持部の上側の羽根に遊技球が集中的に衝突して破損に至る虞がある。
【０００６】
そこで、本発明は、風車が有する複数の羽根の内の一部に遊技球が集中的に衝突することを防止する遊技機を提供することを目的とする。
【課題を解決するための手段】
【０００７】
第１の発明は、遊技球が流下する遊技領域に立設される回転軸から等角度に放射する複数の放射状壁を有する回転子と、鉛直線と停止状態の前記放射状壁の放射方向との為す角度を所定角度に規制する停止角度規制機構と、を有する回転装置を備えた遊技機であって、前記停止角度規制機構は、移動体と、前記回転子と同期して回転し、前記移動体を収納する収納空部を有する同期回転体と、を備え、前記収納空部は、前記放射状壁と同数で前記回転軸からの距離が等しい複数の貯留部を有し、所定の貯留部の中心と前記回転軸とを結ぶ第１の線分と、隣の貯留部の中心と前記回転軸とを結ぶ第２の線分と、の為す角度が隣り合う前記放射状壁が為す角度と等しく設定されるとともに、前記複数の貯留部の間を前記移動体が移動可能な移動流路を有し、前記遊技球の衝突により前記回転子が回転して前記移動体が前記複数の貯留部の間を移動することによって、前記複数の放射状壁のいずれかがランダムに鉛直線と前記所定角度を為すことを特徴とする。
【０００８】
第２の発明は、第１の発明に係り、前記回転装置は、前記第１の線分と所定の前記放射状壁の放射方向との為す相対角度を変更する相対角度変更機構を有することを特徴とする。
【０００９】
第３の発明は、第２の発明に係り、前記相対角度変更機構は、前記同期回転体に設けた被係止部と対向する部分に複数の係止部を設けた係止部材を備え、前記係止部材は、前記回転子と同期して回転して前記回転軸方向の移動を抑制可能に回転軸に軸着された軸着部と、該軸着部の外周に形成された脆弱部と、を有し、該脆弱部の外周に前記複数の係止部が形成され、前記同期回転体は、前記回転子に対して回転自在に構成されて前記回転軸方向の移動を抑制可能に回転軸に軸着され、前記回転子に対して前記同期回転体を回転させると前記脆弱部が撓んで所定の前記係止部に係合している前記被係止部を他の係止部に係合することを特徴とする。
【発明の効果】
【００１０】
第１の発明によれば、複数の放射状壁のいずれかがランダムに鉛直線と所定角度を為すので、停止状態の放射状壁に衝突する遊技球の流下方向を安定させる機能を損なうことなく、特定の放射状壁が遊技球の衝突によって破損することを防止できる。
【００１１】
第２の発明によれば、停止状態の放射状壁に衝突する遊技球の流下方向を変化させることができ、入賞口への入賞率を適正化できる。
【００１２】
第３の発明によれば、回転子、同期回転体、係止部材を回転軸から取り外すことなく第１の線分と所定の放射状壁の放射方向との為す相対角度を変更することができ、停止状態の放射状壁に衝突する遊技球の流下方向を簡単に変えることができて作業性が良い。
【発明を実施するための最良の形態】
【００１３】
以下、本発明の第１の実施形態について、図１〜図６を参照して説明する。
なお、以下の実施の形態の説明において記す前後左右とは、遊技者から見た、つまり遊技機に向かって見た方向を指すものとする。
【００１４】
図１は、本発明の実施形態の遊技機（パチンコ機）の遊技盤１の正面図である。
図１に示すように、遊技盤１は、合板やプラスチック等からなる矩形状の遊技盤本体２の表面に、区画部材としてのガイドレール１０等を設けることで略円形状の遊技領域１１を区画形成している。
【００１５】
遊技機は、遊技者の操作に基づいて発射装置（図示省略）から遊技球を発射させ、遊技領域１１内に流下させることにより遊技を行うものである。遊技者は、遊技盤１を覆うカバーガラス（図示省略）を通じて遊技領域１１を視認することができる。
【００１６】
遊技領域１１には、開口窓部２１ａを有するセンターケース（包囲枠体）２１が配設される。センターケース２１の後方には、複数の識別情報を変動表示する変動表示装置（図示省略）が、その表示部がセンターケース２１の開口窓部２１ａに臨む状態で配設される。
【００１７】
遊技盤１にはセンターケース２１の外周に沿った形状の開口が形成され、センターケース２１は、その開口に遊技盤１の前方から嵌装される。
【００１８】
センターケース２１の内側には、凹室４０が形成され、その奥に開口窓部２１ａが形成される。センターケース２１の開口窓部２１ａは、開口窓部２１ａから臨む変動表示装置の表示部が遊技領域１１のほぼ中央に配置されるように形成されている。
【００１９】
変動表示装置は、表示部に複数の変動表示領域（例えば、左側、中央、右側の３つの可変表示領域等）を設定して各表示領域の各々で独立して画像表示がなされる表示装置である。本実施の形態では、例えば、任意の画像を表示可能な液晶表示器等で表示画面部分が構成され、この表示画面上の各変動表示領域には複数の識別情報（特別図柄）や変動表示ゲームを演出するキャラクタ等、遊技の進行に基づく画像が表示される。
【００２０】
センターケース２１の外周には、遊技領域１１内を流下する遊技球を案内するガイド４１が形成される。センターケース２１の頂部には、上に凸の緩やかな曲線の上部ガイド４１ａが形成され、その左右には、センターケース２１の内側に凸の左側逆円弧状ガイド４１ｂと右側逆円弧状ガイド４１ｃとが形成される。それらの下には縦に長い左側部ガイド４１ｄと右側部ガイド４１ｅとが形成される。
【００２１】
左側部ガイド４１ｄの左側には、右下がりの直線上に並べられた複数の案内釘によって形成される回転子案内流路６０が設けられる。回転子案内流路６０の下端側には、遊技領域１１に対して回転可能であって、流下する遊技球の流下方向を変化させる回転子（いわゆる風車）７０が配設される。回転子案内流路６０は、遊技領域１１を流下する遊技球を回転子７０に導く流路である。なお、回転子７０については、図３で詳細に説明する。
【００２２】
遊技領域１１におけるセンターケース２１の下方でかつ遊技領域１１の略中央には、普通変動入賞装置（普通電動役物）２３を有するチューリップタイプの始動入賞口２４が配設される。この始動入賞口２４の下方には、変動表示装置の作動結果によって遊技球を受け入れない状態と受け入れ易い状態とに変換可能な特別変動入賞装置（大入賞口）２５が配設される。また、遊技領域１１におけるセンターケース２１の右下方には、普図変動表示ゲームの普通図柄始動ゲート２６が配設される。
【００２３】
遊技領域１１の下方であり、かつ特別変動入賞装置２５の左右の側方には、特図変動表示ゲームの特別図柄の変動表示、特別図柄入賞記憶数（始動記憶数）、普図変動表示ゲームの普通図柄の変動表示、及び普通図柄入賞記憶数等を表示する状態表示器３２が配設される。
【００２４】
遊技領域１１における始動入賞口２４の左右両側方には、遊技球が入賞した場合に賞球を払い出す条件だけが成立する複数の一般入賞口２７が配設される。
【００２５】
遊技領域１１には、この他に、遊技球の流下方向を変化させる釘（図示省略）等の方向変換部材、入賞せずに流下した遊技球を回収するアウト口３０、及び発光により各種の装飾表示を行うランプ・ＬＥＤ（図示省略）が配設される。
【００２６】
発射装置によって打ち出された遊技球は、ガイドレール１０の左側部側に区画され遊技球を案内する発射球案内通路３１から遊技領域１１に発射され、遊技領域１１内の各所に配置された方向変換部材によって落下方向を変えながら遊技領域１１を流下し、始動入賞口２４、一般入賞口２７、又は特別変動入賞装置２５に入賞するか、遊技領域１１の最下部に設けられたアウト口３０から排出される。
【００２７】
一般入賞口２７又は特別変動入賞装置２５に遊技球が入賞すると、入賞した入賞口の種類に応じた数の賞球が払出装置（図示省略）から排出される。
【００２８】
具体的には、始動入賞口２４に遊技球が入賞すると、変動表示装置では、前述した数字等で構成される識別情報が順に変動表示する変動表示ゲームが開始され、変動表示ゲームに関する画像が表示される。
【００２９】
始動入賞口２４への遊技球の入賞が所定のタイミングでなされたときには大当たり状態となり、三つの表示図柄が揃った状態（大当たり図柄）で停止する。このとき、特別変動入賞装置２５は、大入賞口ソレノイド（図示省略）への通電によって、大入賞口が所定の時間だけ、遊技球を受け入れない閉状態（遊技者に不利な状態）から遊技球を受け入れやすい開状態（遊技者に有利な状態）に変換される。すなわち、大入賞口が所定の時間だけ大きく開くので、この間遊技者には、多くの賞球を獲得することができるという遊技価値が付与される。
【００３０】
また、普通図柄始動ゲート２６を遊技球が通過すると、状態表示器３２で普図変動表示ゲームが開始される。普通図柄始動ゲート２６への遊技球の通過が所定のタイミングでなされたときには普通図柄に関する当たり状態となり、状態表示器３２に表示される普通図柄が当たり状態で停止する。このとき、始動入賞口２４に設けられた普通変動入賞装置２３は、普通電動役物ソレノイド（図示省略）への通電によって、始動入賞口２４への入口が所定の時間だけ拡開するように変換され、始動入賞口２４への遊技球の入賞可能性が高められる。
【００３１】
センターケース２１の内側底部、つまり凹室４０の底部には、遊技球が転動可能であって、転動する遊技球を始動入賞口２４が配設される遊技領域１１へ流下させるためのステージ（球転動面）５０が配設される。
【００３２】
センターケース２１の左側部には、遊技領域１１を流下する遊技球をセンターケース２１の凹室４０内に導くためのワープ通路（第１流路）５４が配設される。なお、ワープ通路５４については、図２で詳細に説明する。
【００３３】
ワープ通路５４から排出された遊技球は、センターケース２１の内周を転動してステージ５０へと供給される。ステージ５０へ供給された遊技球は、始動入賞口２４の真上に配設される凹部５０ａ〜５０ｃのいずれか一つから遊技領域１１へ再び落下する。
【００３４】
以上のように、ワープ通路５４を通じてセンターケース２１内に導かれた遊技球は、ステージ５０へと供給され、その一部の遊技球は凹部５０ａを通り、始動入賞口２４へ向かって落下する。
【００３５】
また、ワープ通路５４の下方には流路（第２流路）８０が配設される。流路８０は、第１釘群８１、第２釘群８２、及び第３釘群８３から構成される。なお、第１釘群８１が流路８０への入口となる。
【００３６】
各釘群８１〜８３を構成する釘と釘とは、遊技球の直径よりも短い間隔で配設される。よって、各釘群８１〜８３を流下する遊技球は、各釘群８１〜８３を構成する釘と釘との間から落下することはない。
【００３７】
また、第２釘群８２の最も左側に位置する釘と第１釘群８１の最も右側に位置する釘とは、遊技球の直径よりも長い間隔で配設される。第３釘群８３の最も左側に位置する釘と第２釘群８２の最も右側に位置する釘とは、遊技球の直径よりも長い間隔で配設される。
【００３８】
よって、流路８０を流下する遊技球は、遊技球が流下する勢いが強ければ、第１釘群８１と第２釘群８２との間、及び第２釘群８２と第３釘群８３との間から落下せず、遊技球が流下する勢いが弱ければ、第１釘群８１と第２釘群８２との間、及び第２釘群８２と第３釘群８３との間から落下する。
【００３９】
ここで、遊技球が第１釘群８１と第２釘群８２との間、及び第２釘群８２と第３釘群８３との間から落下した場合に遊技球が始動入賞口２４に入賞する可能性は、遊技球が流路８０を流下して第３釘群８３の右側の端部から落下した場合に遊技球が始動入賞口２４に入賞する可能性よりも低い。第３釘群８３の右側の端部は、第１釘群８１と第２釘群８２との間、及び第２釘群８２と第３釘群８３との間よりも始動入賞口２４に近い位置に配設されているからである。
【００４０】
流路８０の終端（第３釘群８３の始動入賞口側の端部）は、ワープ通路の凹部５０ａ〜５０ｃよりも始動入賞口から離れた位置に配設され、流路８０に流入した遊技球は、第１釘群８１と第２釘群８２との間、又は第２釘群８２と第３釘群８３との間から落下してしまう可能性もある。
【００４１】
したがって、流路８０を流下する遊技球が始動入賞口２４に入賞する可能性は、ワープ通路５４からステージ５０に排出された遊技球が始動入賞口２４に入賞する可能性よりも低い。つまり、遊技球がワープ通路５４に流入した方が、遊技球が流路８０に流入するよりも遊技者に有利なルートとなる。
【００４２】
発射球案内通路３１から遊技領域１１内に発射された遊技球は、ガイドレール１０とガイド４１との間の領域を流下する。ここで、図１に示すように、左側部ガイド４１ｄとガイドレール１０との間隔は大きいのに対して、右側部ガイド４１ｅとガイドレール１０とは遊技球一つが通過できる程度の間隔しかない。したがって、本実施の形態では、主としてセンターケース２１左側の遊技領域１１に遊技球を流下させることによって遊技が行われる。発射装置から発射された遊技球のうち勢いのある遊技球は、上部ガイド４１ａとガイドレール１０との間を通過し、右側部ガイド４１ｅとガイドレール１０との間を流下し、案内壁４２によって、遊技領域１１の中央側に案内される。案内壁４２によって遊技領域１１に案内された遊技球は、普通図柄始動ゲート２６、普通図柄始動ゲート２６の下方に配設される一般入賞口２７、若しくは特別変動入賞装置２５に入賞するか、又はアウト口３０へと流入する。
【００４３】
また、センターケース２１左側の遊技領域１１に流下した遊技球のうち、回転子案内流路６０を構成する釘に当接した遊技球は、回転子案内流路６０によって回転子７０に導かれる。
【００４４】
回転子７０に導かれた遊技球は、回転子７０によって飛翔態様が変化させられて、ワープ通路５４、流路８０、又は回転子７０の左側の遊技領域１１に振り分けられる。回転子７０がワープ通路５４又は流路８０に遊技球を振り分ける構造については、図５及び図６で詳細に説明する。
【００４５】
図２は、本発明の実施形態の遊技機の遊技盤１の正面斜視図である。図２では、ワープ通路５４及びステージ５０について、詳細に説明する。
【００４６】
まず、ワープ通路５４について説明する。
ワープ通路５４は、遊技領域１１に向けて開口し遊技領域１１を流下する遊技球を受け入れる流入口５５と、流入口５５から流入した遊技球が転動する転動面を有するワープ流路５６と、凹室４０内に向けて開口しワープ流路５６を通過した遊技球を凹室４０に対して排出する排出口５７とを備えるトンネル状の通路である。ワープ通路５４は、センターケース２１とは別体に構成され、締結部材によってセンターケース２１に取り付けられる。ワープ通路５４は、透明な合成樹脂にて形成される。
【００４７】
流入口５５は、遊技領域１１におけるセンターケース２１の左側方を流下する遊技球を受け入れるため、左斜め上方へ向けて開口している。
【００４８】
排出口５７は、センターケース２１の凹室４０に向けて遊技球を案内するように形成される。
【００４９】
次に、ステージ５０について説明する。
ステージ５０は、左右方向の中央に向かって窪んだ円弧形状で形成される。ステージ５０には五つの凹部５０ａ〜５０ｃが形成される。具体的には、ステージ５０の中央には凹部５０ａが形成され、凹部５０ａの左右両側には凹部５０ｂが形成される。また、凹部５０ａの左側に形成された凹部５０ｂの左側には、凹部５０ｃが形成され、凹部５０ａの右側に形成された凹部５０ｂの右側には、凹部５０ｃが形成される。凹部５０ａ〜５０ｃの形状は、それぞれステージ５０から左右方向に窪み、かつ前側に傾斜する形状である。
【００５０】
凹部５０ａは始動入賞口２４の真上に形成されるため、凹部５０ａから遊技領域１１に流下した遊技球が始動入賞口２４に入賞する可能性が最も高い。次いで、凹部５０ｂが始動入賞口２４の近くに配設されているので、凹部５０ｂから遊技領域１１に流下した遊技球が始動入賞口２４に入賞する可能性は、凹部５０ａから遊技領域１１に流下した遊技球が始動入賞口２４に入賞する可能性の次に高い。凹部５０ｃは、始動入賞口２４から最も離間した位置に配設されるので、凹部５０ｃから遊技領域１１に流下した遊技球が始動入賞口２４に入賞する可能性は最も低い。
【００５１】
遊技球が凹部５０ａ〜５０ｃから遊技領域１１に流下するか否かは、凹部５０ａ〜５０ｃを通過する際の遊技球の勢いによる。凹部５０ａ〜５０ｃを通過する際の遊技球の勢いが弱い場合には、凹部５０ａ〜５０ｃの窪みを上ることができず、凹部５０ａ〜５０ｃの前側傾斜に沿って遊技領域１１に流下する。一方、凹部５０ａ〜５０ｃを通過する際の遊技球の勢いが強い場合には、凹部５０ａ〜５０ｃの窪みを上り、次の凹部５０ａ〜５０ｃを通過する。
【００５２】
ワープ通路５４から排出された遊技球の勢いが強いと、ステージ５０の左側に形成される凹部５０ｃの窪みを上り、凹部５０ｃの左側に形成されるステージ５０の左右方向の中央に向かう傾斜面を上る場合がある。この場合、ステージ５０の左側の端部から遊技球が落下して、案内壁４２に当接し、遊技領域１１の中央側に案内される。案内壁４２によって遊技領域１１に案内された遊技球は、普通図柄始動ゲート２６、普通図柄始動ゲート２６の下方に配設される一般入賞口２７、若しくは特別変動入賞装置２５に入賞するか、又はアウト口３０へと流入する。
【００５３】
ここで、回転子７０は、ワープ通路５４の流入口５５及び流路８０の入口である第１釘群８１と、回転子案内流路６０との間に配置されている。これによって、回転子案内流路６０によって回転子７０に導かれた遊技球は、放射状壁７４１〜７４３（図３参照）の先端７４１Ｂ〜７４３Ｂに当接して、回転子７０を挟んで回転案内流路６０と反対側に位置するワープ通路５４又は流路８０側に飛翔する。このため、回転子７０は、回転子案内流路６０によって導かれた遊技球をワープ通路５４又は流路８０に振り分けることができる。
【００５４】
図３は、本発明の実施形態の回転子７０の背面斜視図である。
回転子７０は、遊技領域１１に対して回転可能に取り付けられる。回転子７０は、回転軸７１と、回転軸７１から放射状に形成される３つの放射状壁７２１〜７２３と、回転軸７１を中心とする円形状のフランジ部７３と、を備える。なお、フランジ部７３には、飾りのための飾り穴７３１が周方向に等間隔で形成されている。
【００５５】
回転子７０に導かれた遊技球は、上側を向いている放射状壁７２１〜７２３の先端７２１Ｂ〜７２３Ｂに当接することによって飛翔態様が変化し、ワープ通路５４又は流路８０に流入する。
【００５６】
回転軸７１の中心には、釘の胴部の直径よりも大きく、かつ釘の頭部の直径よりも小さい直径で穴７１１が形成される。回転軸７１の穴７１１の図３の奥側（フランジ７３側）から手前側に向かって釘が打ちこまれることによって、回転子７０は、回転可能に遊技領域１１に取り付けられる。回転子７０は、釘の頭部によって前後方向の位置決めがされる。また、回転軸７１の穴７１１を貫通する釘が回転子７０の回転軸受けとなる。
【００５７】
放射状壁７２１〜７２３は、回転軸７１の外周面に基端７２１Ａ〜７２３Ａ、及び基端７２１Ａ〜７２３Ａの反対側に先端７２１Ｂ〜７２３Ｂを有する。
【００５８】
放射状壁７２１〜７２３は、各先端７２１Ｂ〜７２３Ｂと回転軸７１との距離が異なるように形成されている。基端７２１Ａから先端７２１Ｂまでの距離が最も長く、基端７２２Ａから先端７２２Ｂまでの距離が次いで長く、基端７２３Ａから先端７２３Ｂまでの距離が最も短い。
【００５９】
本発明の実施形態の各放射状壁７２１〜７２３は、平面形状で形成されているので、各放射状壁７２１〜７２３の長さを異ならせることによって、各先端７２１Ｂ〜７２３Ｂと回転軸７１との距離を異ならせている。放射状壁７２１〜７２３は、各先端７２１Ｂ〜７２３Ｂと回転軸７１との距離を異なるように形成されていれば、平面形状で形成されていなくても、例えば、Ｌ字型形状又は曲面形状で形成されていてもよい。
【００６０】
また、隣り合う放射状壁７２１〜７２３のなす角度が等しくなるように形成される。具体的には、放射状壁７２１と放射状壁７２２とがなす角度は１２０度であり、放射状壁７２２と放射状壁７２３とがなす角度は１２０度であり、放射状壁７２３と放射状壁７２３とがなす角度は１２０度である。
【００６１】
放射状壁７２１〜７２３は、基端７２１Ａ〜７２３Ａから先端７２１Ｂ〜７２３Ｂまでの距離が異なるように形成されるので、各放射状壁７２１〜７２３の重さが異なる。このため、重心が回転軸７１上からずれてしまい、回転子７０は、常に同じ向きで停止してしまう。
【００６２】
具体的には、放射状壁７２１〜７２３は、放射状壁７２１、放射状壁７２２、及び放射状壁７２３の順に重い。このため、回転子７０の重心は、放射状壁７２１と放射状壁７２２との間の放射状壁７２１側に位置する。
【００６３】
このため、回転子７０は、放射状壁７２１及び放射状壁７２２を下向きにして、放射状壁７２１側に若干傾くため、いずれの放射状壁７２１〜７２３も鉛直上向きにならずに停止する。よって、回転子案内流路６０から回転子７０に案内された遊技球が、放射状壁７２１〜７２３の先端７２１Ｂ〜７２３Ｂに確実に当接することができないため、回転子７０は、遊技球をワープ通路５４又は流路８０に振り分けることができない。
【００６４】
したがって、本実施形態では、いずれかの放射状壁７２１〜７２３が鉛直上向きとなって回転子７０が停止できるように、重心を回転軸７１上に位置させるバランス部７４１及び７４２が、フランジ部７３の裏面に埋設される。
【００６５】
なお、バランス部７４１及び７４２は、フランジ部７３の裏面から突出して埋設されるが、このバランス部７４１及び７４２のフランジ部７３の裏面からの突出量は、回転子７０に流下する遊技球に作用しない程度にする。
【００６６】
バランス部７４１は、放射状壁７２３の延長線上のフランジ部７３に埋設され、放射状壁７２３の延長線上の重さを放射状壁７２１の重さと同じにする。よって、バランス部７４１の重さは、放射状壁７２１の重さから放射状壁７２３の重さを減じた重さである。また、バランス部７４２は、放射状壁７２２の延長線上のフランジ部７３に放射状壁７２２の延長線上の重さを放射状壁７２１の重さと同じにする。よって、バランス部７４２の重さは、放射状壁７２１の重さから放射状壁７２２の重さを減じた重さである。
【００６７】
これによって、放射状壁７２２にバランス部７４２を加えた重さ、及び放射状壁７２３にバランス部７４１を加えた重さが、放射状壁７２１の重さと同じになるため、回転子７０の重心は回転軸７１上に位置する。このため、回転子７０は、いずれかの放射状壁７２１〜７２３が鉛直上向きとなった状態で停止する。よって、回転子７０に流下する遊技球は、放射状壁７２１〜７２３の先端７２１Ｂ〜７２３Ｂに確実に当接できる。
【００６８】
また、バランス部７４１及び７４２は、放射状壁７２１〜７２３の密度よりも大きい密度の材質を用いるとよい。これによって、バランス部７４１及び７４２の体積を小さくできるため、回転子７０に流下した遊技球がバランス部７４１及び７４２に当接する可能性が少なくなる。
【００６９】
図４は、本発明の実施形態のバランス部７４１及び７４２の取付方法の説明図である。
フランジ部７３の裏面には、放射状壁７２１〜７２３を取り付けるための取付凹部７５１〜７５３が形成される。
【００７０】
取付凹部７５１〜７５３の長さは放射状壁７２１の長さと同じであり、取付凹部７５１〜７５３の幅は放射状壁７２１〜７２３の幅と同じである。放射状壁７２１〜７２３が取付凹部７５１〜７５３に嵌合されることによって、回転軸７１及び放射状壁７２１〜７２３はフランジ部７３に取り付けられる。
【００７１】
この場合、放射状壁７２２及び７２３の長さは放射状壁７２１の長さよりも短いので、放射状壁７２２が嵌合する取付凹部７５２及び放射状壁７２３が嵌合する取付凹部７５３には、何も嵌合しない部分（隙間）が存在する。取付凹部７５２の隙間にバランス部７４１が嵌合することによって、バランス部７４１がフランジ部７３の裏面に取り付けられる。また、取付凹部７５３の隙間にバランス部７４２が取り付けられることによって、バランス部７４２がフランジ部７３の裏面に取り付けられる。
【００７２】
なお、図４では放射状壁７２１〜７２３がフランジ部７３に取り付けられるために、放射状壁７２１に合わせた大きさの取付凹部７５１〜７５３が形成されるものとしたが、放射状壁７２１〜７２３はフランジ部７３に取り付けられていなくてもよい。この場合、取付凹部７５１〜７５３は不要であり、フランジ部７３にはバランス部７４１及び７４２を取り付けるための凹部が形成されていればよい。
【００７３】
次に、ワープ通路５４と回転子７０との位置関係を図５及び図６を用いて説明する。
図５は、本発明の実施形態の基端７２３Ａから先端７２３Ｂまでの距離が最も短い放射状壁７２３が鉛直上向きになって回転子７０が停止した場合のワープ通路５４と回転子７０との位置関係の説明図である。
【００７４】
ワープ通路５４の流入口５５の底面の延長線（図５に示す点線、なお、当該点線は仮想線である）が、放射状壁７２３が鉛直上向きになって回転子７０が停止した場合の放射状壁７２３の先端７２３Ｂの位置よりも高い位置に位置するように、ワープ通路５４及び回転子７０が遊技領域１１に配設される。
【００７５】
図６は、本発明の実施形態の基端７２１Ａから先端７２１Ｂまでの距離が最も長い放射状壁７２１が鉛直上向きになって回転子７０が停止した場合のワープ通路５４と回転子７０との位置関係の説明図である。
【００７６】
ワープ通路５４の流入口５５の底面の延長線（図６に示す点線、なお、当該点線は仮想線である）が、放射状壁７２１が鉛直上向きになって回転子７０が停止した場合の放射状壁７２１の先端７２１Ｂの位置よりも低い位置に位置するように、ワープ通路５４及び回転子７０が遊技領域１１に配設される。
【００７７】
以上より、ワープ通路５４の流入口５５の底面の延長線が、放射状壁７２３が鉛直上向きになって回転子７０が停止した場合の放射状壁７２３の先端７２３Ｂの位置よりも高い位置に位置し、かつワープ通路５４の流入口５５の底面の延長線が、放射状壁７２１が鉛直上向きになって回転子７０が停止した場合の放射状壁７２１の先端７２１Ｂの位置よりも低い位置に位置するように、ワープ通路５４及び回転子７０が遊技領域１１に配設される。
【００７８】
これによって、ワープ通路５４の流入口５５の底面の延長線が、鉛直上向きになった放射状壁７２１の先端７２１Ｂの位置より低い位置に位置するので、放射状壁７２１の先端７２１Ｂが鉛直上向きになって回転子７０が停止した場合に、遊技領域１１を流下する遊技球が放射状壁７２１に当接して飛翔した遊技球がワープ通路５４に流入する可能性が高くなる。また、ワープ通路５４の流入口５５の底面の延長線が、鉛直上向きになった放鉛直上向きになった放射状壁７２３の先端７２３Ｂの位置より高い位置に位置するので、放射状壁７２３の先端７２３Ｂが鉛直上向きになって回転子７０が停止した場合に、遊技領域１１を流下する遊技球が放射状壁７２３に当接して飛翔した遊技球がワープ通路５４に流入する可能性が低くなる。
【００７９】
なお、ワープ流路５６及び回転子７０は、放射状壁７２２の先端７２２Ｂがワープ通路５４の流入口５５の底面の延長線上に位置するように、遊技領域１１に配設されてもよい。これによって、放射状壁７２１の先端７２１Ｂに遊技球が当接した場合には、遊技球がワープ流路５６に流入する可能性は最も高くなり、放射状壁７２３の先端７２３Ｂに遊技球が当接した場合には、遊技球がワープ流路５６に流入する可能性は最も低くなり、放射状壁７２３の先端７２３Ｂに遊技球が当接した場合には、遊技球がワープ流路５６に流入する可能性と遊技球が流路８０に流入する可能性とを同程度にすることができる。
【００８０】
また、各放射状壁７２１〜７２３の先端７２１Ｂ〜７２３Ｂが、ワープ通路５４の流入口５５の底面の延長線に平行なテーパー面に形成されてもよい。このテーパー面は、いずれかの放射状壁７２１〜７２３が鉛直上向きになって回転子７０が停止した場合に、始動入賞口２４側に下り傾斜するように形成されている。
【００８１】
これによって、放射状壁７２１〜７２３の先端７２１Ｂ〜７２３Ｂに当接した遊技球は、回転子７０の左側に飛翔することを防止でき、確実にワープ通路５４又は流路８０に振り分けることができる。
【００８２】
次に、本発明の第１の実施形態の変形例を図７及び図８を用いて説明する。
本実施形態では、ワープ通路５４と回転子７０との位置関係をワープ流路５６の底面の延長線によって特定したが、本実施形態の変形例では、ワープ流路５６と回転子７０との位置関係を回転子案内流路６０の下端とワープ流路５６の底面の上端との接続線によって特定する。
【００８３】
図７は、本発明の実施形態の変形例の基端７２３Ａから先端７２３Ｂまでの距離が最も短い放射状壁７２３が鉛直上向きになって回転子７０が停止した場合のワープ通路５４と回転子７０との位置関係の説明図である。
【００８４】
回転子案内流路６０を構成する釘のうち最も回転子７０側に位置する釘の底面と、ワープ通路５４の流入口５５の底面との接続線（図７に示す点線、なお、当該点線は仮想線である）が、放射状壁７２３が鉛直上向きになって回転子７０が停止した場合の放射状壁７２３の先端７２３Ｂの位置よりも高い位置に位置するように、ワープ通路５４及び回転子７０が遊技領域１１に配設される。
【００８５】
図８は、本発明の実施形態の変形例の基端７２１Ａから先端７２１Ｂまでの距離が最も長い放射状壁７２１が鉛直上向きになって回転子７０が停止した場合のワープ通路５４と回転子７０との位置関係の説明図である。
【００８６】
回転子案内流路６０を構成する釘のうち最も回転子７０側に位置する釘の底面と、ワープ通路５４の流入口５５の底面との接続線（図８に示す点線、なお、当該点線は仮想線である）が、放射状壁７２１が鉛直上向きになって回転子７０が停止した場合の放射状壁７２１の先端７２１Ｂの位置よりも低い位置に位置するように、ワープ通路５４及び回転子７０が遊技領域１１に配設される。
【００８７】
以上より、回転子案内流路６０とワープ通路５４との接続線が、放射状壁７２３が鉛直上向きになって回転子７０が停止した場合の放射状壁７２３の先端７２３Ｂの位置よりも高い位置に位置し、かつ回転子案内流路６０とワープ通路５４との接続線が、放射状壁７２１が鉛直上向きになって回転子７０が停止した場合の放射状壁７２１の先端７２１Ｂの位置よりも低い位置に位置するように、ワープ通路５４及び回転子７０が遊技領域１１に配設される。
【００８８】
次に、本発明の第２の実施形態を図９〜図１３を用いて説明する。
本実施形態では、回転子１１００が回転装置１０００の一部の構成を成し、回転装置１０００の前面側斜視図である図９、及び、回転装置１０００の背面側分解斜視図である図１０を用いて回転装置１０００の構造を説明する。
【００８９】
回転装置１０００は、回転子１１００の回転軸として機能する回転軸受け１１１０に一端が嵌合する回転軸部材１２００と、回転軸部材１２００を挿通空部１３１０に挿通して支持するベース部材１３００と、回転軸部材１２００の他端と嵌合して回転子１１００と同期回転する同期回転体１４００と、同期回転体１４００の被係止部１４１０に係止する係止部１５１０が設けられた係止部材１５００と、を有する。
【００９０】
回転子１１００は、前後方向を法線とする面による切断面がＤ字状に形成される貫通口１１１１が設けられた円筒パイプ状の回転軸受け１１１０と、回転軸受け１１１０の前端からフランジ状に設けられた円形の円盤部１１２０と、円盤部１１２０の背面と連続し、回転軸受け１１１０から等角度（例えば１２０°）に放射する複数（例えば３個）の放射状壁１１３０と、を備える。
【００９１】
第２の実施形態における複数の放射状壁１１３０は夫々の放射方向の長さが等しく設定されており、即ち、回転軸受け１１１０から放射状壁１１３０の放射先端までの距離が全て等しい。
【００９２】
回転軸受け１１１０の後端には、回転軸部材１２００が貫通する円筒パイプ状であり回転子１１００の回転を滑らかにする滑動部材１６００が収納される凹部が形成される。
回転軸部材１２００は、前後方向を法線とする面による切断面が円形の円柱部１２１０と、円柱部１２１０の前後夫々の端部を始端として連続し、前後方向を法線とする面による切断面がＤ字状に形成される前端部１２２０、及び、後端部１２３０とからなる。
【００９３】
前端部１２２０の終端（前端）側には、前端部１２２０が回転軸受け１１１０の貫通口１１１１に貫通された状態を維持するための抜け止め部材１７００が止着される止着部１２２１が形成され、一方、後端部１２３０の後端面には、ビス１８００を挿通するビス挿通口１２４０が穿設される。
【００９４】
ベース部材１３００は、回転軸部材１２００を軸支するためのパイプ状の挿通空部１３１０が前後方向に貫通するように設けられ、遊技盤本体２の表面の遊技領域１１に止着するための止着口１３２１が形成されたベース部１３２０を挿通空部１３１０の前端にフランジ状に形成し、ベース部１３２０の背面側には挿通空部１３１０と同心円状の筒部１３３０が設けられ、筒部１３３０の後端開口は蓋部材１３４０により塞がれる。
【００９５】
ここで、遊技盤本体２は、ベース部材１３００の筒部１３３０を挿通する挿通口が形成され、また、第１の実施形態において遊技領域１１に対して上下左右方向に相対的に定められた回転軸７１の配設位置に第２の実施形態の挿通空部１３１０を配置している。
係止部材１５００は、前後方向を法線とする面による切断面がＤ字状に形成される貫通口１５２１が設けられた円筒パイプ状の軸着部１５２０と、軸着部１５２０の円筒の外周に形成され複数の肉盗み（貫通孔）が設けられた脆弱部１５３０と、を有し、更に、脆弱部１５３０の外周であって背面側に係止部としての係止溝１５１０が放射状に複数形成され、軸着部１５２０の貫通口１５２１に回転軸部材１２００の後端部１２３０が貫通する。
【００９６】
同期回転体１４００は、係止部材１５００の背面側に配設され、図１１に示すとおり中央部には係止部材１５００との対向面側（前面側）に開放し前後方向を法線とする面による切断面が円形である有底の凹部１４２０が形成され、凹部１４２０に回転軸部材１２００の後端部１２３０が挿通される。
【００９７】
また、同期回転体１４００は、係止部材１５００との対向面側には、凹部１４２０の外周部に係止部材１５００の係止溝１５１０と係合する被係止部としての係止突起１４１０が複数（例えば、３個）設けられ、複数の係止突起１４１０が凹部１４２０から等角度（例えば１２０°）に放射するように設けられる。
【００９８】
更に、同期回転体１４００は、背面側に開放し移動体１９００を遊嵌状態で収納する有底の収納空部１４４０が形成され、収納空部１４４０は回転子１１００の放射状壁１１３０と同数で回転軸（回転軸受け１１１０）からの距離が等しい複数（例えば３個）の貯留部１４４１を有し、所定の貯留部１４４１の中心と回転軸とを結ぶ第１の線分１４５０と、隣の貯留部１４４１の中心と回転軸とを結ぶ第２の線分１４６０と、の為す角度Ｃが隣り合う放射状壁１１３０が為す角度Ｃと等しく設定される。（図１３参照）
【００９９】
また、収納空部１４４０は複数の貯留部１４４１の間を連続させて球状（円筒状でも良い）の移動体１９００が移動可能な移動流路１４４２を形成する。
【０１００】
そして、同期回転体１４００は、収納空部１４４０底部側からビス１８００を挿通するためのビス挿入口１４７０が凹部１４２０へ貫通するように設けられる。
【０１０１】
以上の構造を有する回転装置１０００の作用を説明する。
先ず、回転子１１００の回転軸受け１１１０の後端から貫通口１１１１に回転軸部材１２００の前端部１２２０を貫通させて、前端部１２２０の円盤部１１２０より前方に突出する止着部１２２１に抜け止め部材１７００を止着することにより、回転子１１００と回転軸部材１２００とが同期して回転可能となる。
【０１０２】
次に、ベース部材１３００の挿通空部１３１０の前端から滑動部材１６００が挿通された状態の回転軸部材１２００を挿通し挿通空部１３１０に円柱部１２１０を支持させた後、ベース部材１３００の筒部１３３０の後端開口から係止部材１５００を挿通して、係止部材１５００の貫通口１５２１に回転軸部材１２００の後端部１２３０を貫通させることにより、回転子１１００と回転軸部材１２００と係止部材１５００とが同期して回転可能となる。
【０１０３】
更に、ベース部材１３００の筒部１３３０の後端開口から同期回転体１４００を挿通して、同期回転体１４００の凹部１４２０に回転軸部材１２００の後端部１２３０を収納させ、背面側からビス１８００をビス挿入口１４７０及び回転軸部材１２００のビス挿通口１２４０に挿通することにより、回転軸部材１２００の後端縁と凹部１４２０の底部とが当接した状態で締結させる。
【０１０４】
この状態において、回転軸部材１２００の円柱部１２１０と後端部１２３０との境界段差と、係止部材１５００の軸着部１５２０の前端と、が当接するとともに、係止部材１５００の軸着部１５２０の後端と、同期回転体１４００の凹部１４２０の前端縁と、が当接するように設定されているので、係止部材１５００の軸着部１５２０と、同期回転体１４００と、が回転軸方向の移動が抑制された状態で回転軸に軸着されることになる。
【０１０５】
また、回転子１１００と同期回転する回転軸部材１２００に対して同期回転体１４００が回転自在であるが、係止部材１５００の係止溝１５１０と同期回転体１４００の係止突起１４１０とが係合するため、回転子１１００と回転軸部材１２００と係止部材１５００と同期回転体１４００とが同期して回転可能となる。
【０１０６】
そして、同期回転体１４００の収納空部１４４０に移動体１９００を収納し、蓋部材１３４０で筒部１３３０の後端開口を閉塞すると、移動体１９００が収納空部１４４０と筒部１３３０との間に遊嵌状態で封入される。
【０１０７】
更に、遊技盤本体２の表面にベース部材１３００のベース部１３２０の背面側を当接させて回転装置１０００を遊技盤本体２に取り付けることにより、遊技領域１１に対して回転子１１００の回転軸受け１１１０が立設する。
【０１０８】
図１３は、停止状態の回転子１１００と、同期回転体１４００と、移動体１９００と、の位置関係を示した図であり、回転子１１００に遊技球が衝突すると回転子１１００が回転した後に移動体１９００の重みにより同期回転体１４００の複数の貯留部１４４１の内のランダムな一つが鉛直下方を向くように停止するが、この鉛直下方を向いた貯留部１４４１に応じた回転子１１００の放射状壁１１３０の放射方向と、鉛直方向と、が所定角度（例えば図１３中のｂ°）を為す。
【０１０９】
即ち、同期回転体１４００及び移動体１９００は、遊技球の衝突により回転子１１００が回転して移動体１９００が複数の貯留部１４４１の間を移動することによって、複数の放射状壁１１３０のいずれかの放射方向がランダムに鉛直線と所定角度（一定角度）を為すように停止する停止角度規制機構２０００として機能し、停止角度規制機構２０００により停止状態の放射状壁１１３０に衝突する遊技球の流下方向を安定させる機能を損なうことなく、特定の放射状壁１１３０が遊技球の衝突によって破損することを防止できる。
【０１１０】
図１２における角度調整具２１００は、同期回転体１４００の収納空部１４４０に収容可能な被収容部２１１０と、被収容部２１１０を手動で回転軸回りに回転させるための握持部２１２０と、からなり、被収容部２１１０の外形は収納空部１４４０の外形を若干縮小した相似形（円形は除く）に形成し、回転子１１００を固定し被収容部２１１０を収納空部１４４０に収容して回転軸回りに回転させる調整行為を行うと、回転装置１０００の後述の相対角度変更機構２２００を機能させて、第１の線分１４５０と所定の放射状壁１１３０の放射方向との為す相対角度を変更することができる。（図１３中でａ°からａ’°への変更）
【０１１１】
相対角度変更機構２２００は、前述の係止部材１５００の脆弱部１５３０により構成され、前記の調整行為により回転子１１００に対して同期回転体１４００を回転させると脆弱部１５３０が撓んで脆弱部１５３０の外方の係止溝１５１０（係止部）が対向する同期回転体１４００の係止突起１４１０（被係止部）から離間するので、所定の係止部に係合している被係止部を他の係止部に係合させることができる。
【０１１２】
相対角度変更機構２２００の機能により、停止状態の放射状壁１１３０に衝突する遊技球の流下方向を変化させることができ、入賞口（始動入賞口２４）への入賞率を適正化できる。
【０１１３】
また、回転子１１００、同期回転体１４００、係止部材１５００を回転軸部材１２００から取り外すことなく第１の線分１４５０と所定の放射状壁１１３０の放射方向との為す相対角度を変更することができ、停止状態の放射状壁１１３０に衝突する遊技球の流下方向を簡単に変えることができて作業性が良い。
【０１１４】
本実施形態の回転子１１００は、回転軸受け１１１０回りに１２０°の等間隔で３個の放射状壁１１３０が設けられるが、９０°の等間隔で４個の放射状壁を設けても良く、これに伴い、同期回転体１４００の収納空部１４４０の３個の貯留部１４４１を４個の貯留部にする必要があり、その際、角度Ｃを９０°に設定すれば良い。
【０１１５】
なお、今回開示した実施の形態は、全ての点で例示であって制限的なものではない。また、本発明の範囲は前述した発明の説明ではなくて特許請求の範囲によって示され、特許請求の範囲と均等の意味及び内容の範囲での全ての変更が含まれることが意図される。
【産業上の利用可能性】
【０１１６】
以上のように、本発明は、遊技球を遊技領域に発射させるパチンコ遊技機等に適用することができる。
【図面の簡単な説明】
【０１１７】
【図１】本発明の第１の実施形態の遊技機（パチンコ機）の遊技盤の正面図である。
【図２】本発明の第１の実施形態の遊技機の遊技盤の正面斜視図である。
【図３】本発明の第１の実施形態の回転子の背面斜視図である。
【図４】本発明の第１の実施形態のバランス部の取付方法の説明図である。
【図５】本発明の第１の実施形態の基端から先端までの距離が最も短い放射状壁が鉛直上向きになって回転子が停止した場合のワープ通路と回転子との位置関係の説明図である。
【図６】本発明の第１の実施形態の基端から先端までの距離が最も長い放射状壁が鉛直上向きになって回転子が停止した場合のワープ通路と回転子との位置関係の説明図である。
【図７】本発明の第１の実施形態の変形例の基端から先端までの距離が最も短い放射状壁が鉛直上向きになって回転子が停止した場合のワープ通路と回転子との位置関係の説明図である。
【図８】本発明の第１の実施形態の変形例の基端から先端までの距離が最も長い放射状壁が鉛直上向きになって回転子が停止した場合のワープ通路と回転子との位置関係の説明図である。
【図９】本発明の第２の実施形態の回転装置の前面側斜視図である。
【図１０】本発明の第２の実施形態の回転装置の背面側分解斜視図である。
【図１１】本発明の第２の実施形態の同期回転体と係止部材との対向面の関係の説明図である。
【図１２】本発明の第２の実施形態の相対角度変更機構の説明図である
【図１３】本発明の第２の実施形態の回転子と同期回転体と移動体との関係の説明図である。
【符号の説明】
【０１１８】
１    遊技盤
２    遊技盤本体
１０    ガイドレール
１１    遊技領域
２１    センターケース
２３    普通変動入賞装置
２４    始動入賞口
２５    特別変動入賞装置（大入賞口）
２６    普通図柄始動ゲート
２７    一般入賞口
３０    アウト口
３１    発射球案内通路
３２    状態表示器
４０    凹室
４１    ガイド
４２    案内壁
５０    ステージ
５４    ワープ通路
５５    流入口
５６    ワープ流路
５７    排出口
６０    回転子案内流路
１０００    回転装置
１１００    回転子
１１１０    回転軸受け（回転軸）
１１１１    貫通口
１１２０    円盤部
１１３０    放射状壁
１２００    回転軸部材
１２１０    円柱部
１２２０    前端部
１２２１    止着部
１２３０    後端部
１２４０    ビス挿通口
１３００    ベース部材
１３１０    挿通空部
１３２０    ベース部
１３２１    止着口
１３３０    筒部
１３４０    蓋部材
１４００    同期回転体
１４１０    係止突起（被係止部）
１４２０    凹部
１４４０    収納空部
１４４１    貯留部
１４４２    移動流路
１４５０    第１の線分
１４６０    第２の線分
１４７０    ビス挿入口
１５００    係止部材
１５１０    係止溝（係止部）
１５２０    軸着部
１５２１    貫通口
１５３０    脆弱部
１６００    滑動部材
１７００    抜け止め部材
１８００    ビス
１９００    移動体
２０００    停止角度規制機構
２１００    角度調整具
２１１０    被収容部
２１２０    握持部
２２００    相対角度変更機構
【図１】
2010125289.tif 000003
【図２】
2010125289.tif 000004
【図３】
2010125289.tif 000005
【図４】
2010125289.tif 000006
【図５】
2010125289.tif 000007
【図６】
2010125289.tif 000008
【図７】
2010125289.tif 000009
【図８】
2010125289.tif 000010
【図９】
2010125289.tif 000011
【図１０】
2010125289.tif 000012
【図１１】
2010125289.tif 000013
【図１２】
2010125289.tif 000014
【図１３】
2010125289.tif 000015